(57)【要約】【課題】原稿を一度読み取っただけで、原稿中の指定された画像領域に対して、複数種類の異なる画像処理を行い、処理後の画像をまとめて同時に印刷するようにして、一回の試しコピーで複数の調整値の処理結果を確認できるディジタル複写機を提供する。【解決手段】このディジタル複写機は、画像処理する原稿中の画像領域を指定する領域指定手段と、前記読み込んだ画像データのうち、前記領域指定手段で指定された画像領域の画像データを格納する第１画像蓄積手段と、前記第１画像蓄積手段に格納された画像データに対して、複数の種類の異なる画像処理を順次実行する画像処理手段と、前記画像処理手段によって処理された、複数の画像処理後の画像データを同時に蓄積する第２画像蓄積手段と、前記第２画像蓄積手段に蓄積された複数の画像処理後の画像データを同時に出力する画像出力手段と、を備えるようにした。【選択図】図２
2006245856.tif 000002
【特許請求の範囲】
【請求項１】
読み込んだ画像データを画像処理して出力するディジタル複写機において、画像処理する原稿中の画像領域を指定する領域指定手段と、前記読み込んだ画像データのうち、前記領域指定手段で指定された画像領域の画像データを格納する第１画像蓄積手段と、前記第１画像蓄積手段に格納された画像データに対して、複数の種類の異なる画像処理を順次実行する画像処理手段と、前記画像処理手段によって処理された、複数の画像処理後の画像データを同時に蓄積する第２画像蓄積手段と、前記第２画像蓄積手段に蓄積された複数の画像処理後の画像データを同時に出力する画像出力手段と、を備えることを特徴とするディジタル複写機。
【請求項２】
請求項１に記載のディジタル複写機において、前記領域指定手段は、出力画像の左上の位置を指定することにより、画像領域を指定させるようにしたことを特徴とするディジタル複写機。
【請求項３】
請求項１に記載のディジタル複写機において、前記領域指定手段は、出力画像の中央の位置を指定することにより、画像領域を指定させるようにしたことを特徴とするディジタル複写機。
【発明の詳細な説明】
【技術分野】
【０００１】
本発明は、ディジタル複写機に関し、具体的には、ディジタル複写機における画像蓄積の技術に関し、ディジタル複写機、スキャナ装置、プリンタ装置、ファクシミリ装置、またはこれらの機能を兼ね備えたディジタル複合機に適用して好適である。
【背景技術】
【０００２】
一般にディジタル複写機は、原稿に応じて最適なコピー出力を得るためのさまざまな画質調整機能がある。例えば、出力画像の濃度調整を行う機能や原稿の種類に応じた画像処理の種類を選択する機能である。これらの機能を用いて画質を調整することは可能であるが、それぞれのコピー出力結果がどのようになるかはイメージしにくい。出力される画像を確認するためには、実際に調整値を変えながら複数回の試しコピーを行わなければならない。
【０００３】
このような問題点に対して、特許文献１では、読み取りを繰り返し、試しコピーを取りたい原稿をすべてメモリに書き込み、この処理を次原稿がなくなるまで行う。画像処理回路は、メモリ内に試しコピー画像用のエリアを確保し、そこに１枚目の画像データから順に先頭２１０ｍｍ分の画像データをコピーして行き、１枚にまとめた試しコピー画像を作成し、試しコピー画像情報が複写装置で出力される。この出力の結果、必要があれば、その後、操作部から設定変更ができる。
これにより、画像の先頭部における画像濃度等のイメージも正確に伝わり、必要な設定値を決める上で有用な試し刷り機能を備えたディジタル複写機を提供することができる。
【特許文献１】特開２００１−１６６６３５号公報
【発明の開示】
【発明が解決しようとする課題】
【０００４】
しかしながら、原稿を読み取った画像データに対して、種類の異なる複数の画像処理を行う場合、原稿を複数回読み取らなければならない。
また、種類の異なる複数の画像処理結果をまとめて同時に印刷することは、原稿を複数回読み取っただけでは実現できない。
これに対して、上述の特許文献１の技術は、複数枚の原稿に対して、且つ、原稿の先頭部に対してのみ適用される技術である。
【０００５】
本発明は、上述のような実情を考慮してなされたものであって、原稿を一度読み取っただけで、原稿中の指定された画像領域に対して、複数種類の異なる画像処理を行い、処理後の画像をまとめて同時に印刷して、一回の試しコピーで複数の調整値の処理結果を確認できるディジタル複写機を提供することを目的とする。
【課題を解決するための手段】
【０００６】
上述の課題を解決するために、請求項１に記載の発明は、読み込んだ画像データを画像処理して出力するディジタル複写機において、画像処理する原稿中の画像領域を指定する領域指定手段と、前記読み込んだ画像データのうち、前記領域指定手段で指定された画像領域の画像データを格納する第１画像蓄積手段と、前記第１画像蓄積手段に格納された画像データに対して、複数の種類の異なる画像処理を順次実行する画像処理手段と、前記画像処理手段によって処理された、複数の画像処理後の画像データを同時に蓄積する第２画像蓄積手段と、前記第２画像蓄積手段に蓄積された複数の画像処理後の画像データを同時に出力する画像出力手段と、を備えることを特徴とする。
【０００７】
請求項２に記載の発明は、請求項１に記載のディジタル複写機において、前記領域指定手段は、出力画像の左上の位置を指定することにより、画像領域を指定させるようにしたことを特徴とする。
請求項３に記載の発明は、請求項１に記載のディジタル複写機において、前記領域指定手段は、出力画像の中央の位置を指定することにより、画像領域を指定させるようにしたことを特徴とする。
【発明の効果】
【０００８】
本発明によれば、原稿を一度読み取っただけで、原稿中のあらかじめ指定された画像領域（例えば、左上位置基準や中央位置基準の有効出力画像領域）に対して、複数種類の異なる画像処理後の画像をまとめて同時に印刷し、一回の試しコピーで複数の調整値の処理結果を確認することができる。
【発明を実施するための最良の形態】
【０００９】
以下、図面を参照して本発明のディジタル複写機に係る好適な実施形態について説明する。
図１は、本発明の実施形態のディジタル複写機の全体構成を示すブロック図であり、同図において、ディジタル複写機は、画像入力部１０１、画像処理部１０２、画像出力部１０３、画像蓄積部１０４、制御部１０５、操作部１０６とからなっている。
【００１０】
画像入力部１０１は、ディジタルコピー、ディジタルファクシミリのスキャナに相当し、原稿を読み取り、入力画像データとして画像処理部１０２に送る。
画像処理部１０２は、入力された画像データに対してＭＴＦフィルタ処理、γ補正処理、階調処理などの各種画像処理を行い画像出力部１０３に送る。
画像出力部１０３は、ディジタル複写機のプリンタに相当し、画像処理後の画像データを紙にプリント出力する。
画像蓄積部１０４は、原稿読み取り時に画像データや画像処理後の画像データを保存し、画像処理時や印刷時に保存されている画像データを読み出す。
【００１１】
制御部１０５は、装置の全体制御を行う。画像入力部１０１に対しては、スキャナの動作制御を行い、画像処理部１０２に対しては、ＭＴＦフィルタ処理、γ変換処理、階調処理などの各種画像処理の処理に用いるパラメータの設定を行い、画像出力部１０３に対しては、プリンタの動作制御を行い、画像蓄積部１０４に対しては、蓄積、読み出し、消去などの制御を行い、操作部１０６に対しては各種情報の表示制御や動作モードの入力制御を行う。
操作部１０６は、使用者が設定する動作モードの選択やコピースタートの指示の入力に用いられる。
【００１２】
図２は、本実施形態に係るディジタル複写機の詳細なブロック図であり、同図によると、ディジタル複写機は、画像入力部１０１を構成するスキャナ部２０１と、画像処理部１０２を構成するセレクタ２０２、ＭＴＦフィルタ処理部２０３、γ変換処理部２０４、階調処理部２０５およびセレクタ２０６と、画像出力部１０３を構成するプリンタ部２０７と、画像蓄積部１０４を構成する画像蓄積部１（２０８）、画像蓄積部２（２０９）と、
制御部１０５を構成する、装置全体の制御を実行するＣＰＵ（演算ユニット）２１１、制御プログラムを格納するＲＯＭ（Read Only Memory）２１２および制御プログラムが一時的に使用するＲＡＭ（Random Access Memory）２１３と、各装置間のデータのやりとりを行うシステムバス２１０と、動作モード選択、スタート、ストップなどの指示を与えたり、設定の状態を表示する操作部１０６により構成されている。
【００１３】
スキャナ部２０１で読み取られた画像データは、画像処理部１０２に送られる。画像処理部１０２で画像データは、セレクタ２０２を通りＭＴＦフィルタ処理部２０３、γ変換処理部２０４、階調処理部２０５により画像処理が行われる。画像処理後の画像データは、セレクタ２０６を通りプリンタ部２０７へ送られ印刷される。また、画像処理を行う前の読み取り画像データは、画像蓄積部１（２０８）に送られ蓄積される。また画像処理を行った後の画像データは、画像蓄積部２（２０９）に送られ蓄積される。
【００１４】
次に、本実施形態に係るディジタル複写機の動作を画像データの流れを中心に説明する。
図３〜図５に示すように、画像データの流れは３種類があり、順次実行される。
図３は、原稿を読み取って画像蓄積部１（２０８）へ格納するとともに、読み取った画像データに画像処理を行って、画像蓄積部２（２０９）へ格納する画像データの流れである。
図４は、原稿の読み取りを行わず、既に画像蓄積部１（２０８）に格納されている原稿の画像データに対して、異なる画像処理を施して画像蓄積部２（２０９）へ格納する画像データの流れである。
図５は、画像蓄積部２（２０９）に格納されている画像処理後の画像データをプリンタ部２０７で印刷する画像データの流れである。
【００１５】
次に、本実施形態に係るディジタル複写機の「濃度調整」による試しコピーについて説明する。
図６は、「原稿読み取り設定」を選択した状態の操作部の表示例を示す図である。この操作部の画面において、濃度調整の「試し設定」を行いたい濃度調整キー６１（「１」〜「５」）を押すことによって、試しコピー出力が行われる濃度調整値が選択される。濃度調整キー６１を複数回押すことによって、異なる種類の濃度調整値を指定することができる。
【００１６】
次に、図６において、濃度調整の「試し設定」６２を押下すると、図７に示したような「濃度調整  試しコピー設定」確認・変更画面が操作部１０６に表示される。
図７の画面では、図６で選択された複数種類の濃度調整値が表示されており、このままでよければ「設定ＯＫ」７５を押下することによって、指定された濃度調整値で原稿が画像処理され、１枚の用紙に複数種類の濃度調整値で処理された画像データが印刷出力される。
【００１７】
一方、図７の画面に表示された４種類の異なる濃度調整値を変更したいときには、変更したい濃度調整値に対応する領域７１〜７４を選択して、濃度調整キー７６のいずれかを選択して押下することによって変更が可能となる。
【００１８】
図７の例では、領域７１には濃度調整値が「２」、領域７２には濃度調整値が「３」、領域７３には濃度調整値が「４」、領域７４には濃度調整値が「５」が指定されており、それぞれの濃度調整値で原稿画像を画像処理する。
図７の例では、４種類までの画像処理が行われるようにしているが、この数に限定されるものではなく１種類以上であればよい。
【００１９】
このように、複数種類の画像処理結果を同じ用紙に１度で出力するために、出力される画像の大きさは読み取った原稿の画像の大きさより小さくなる。
そのため、読み取り画像データの中から試しコピーで出力したい出力画像領域を指定することができる。
図８は、「試しコピー  画像領域設定」画面の操作部の表示例を示す図である。
ここで、出力する画像領域の基準位置を指定する場合、図８（Ａ）に示すような「左上基準」と、図８（Ｂ）に示すような「中央基準」の２つがある。
【００２０】
「左上基準」の場合には、出力したい画像領域Ｇの左上の角の位置を基準位置として、原稿の左上の角から基準位置までの長さを縦位置８１と横位置８２とで指定する。
また、「中央基準」も同様に、出力したい画像領域Ｇの中央の位置を基準位置として、原稿の左上の角から基準位置までの長さを縦位置８１と横位置８２とで指定する。
【００２１】
ここで、画像領域Ｇの大きさは、１枚の用紙の大きさと、１枚の出力される試しコピーの種類の個数によって予め設定しておく。または、図７で設定した試しコピーの種類の個数から画像処理の違いが判別できる画像領域の大きさに自動的に設定するようにしてもよい。
指定後、「設定ＯＫ」８３を押下すると、指定された出力画像領域は、ＣＰＵ２１１で画素位置を計算し、読み取った原稿画像の有効画像領域として画像蓄積部１（２０８）と画像蓄積部２（２０９）に記録される。
【００２２】
次に、図７で設定した濃度調整値を用いて、本実施形態に係るディジタル複写機の「濃度調整」による試しコピーの動作の具体例について説明する。
はじめに、ＣＰＵ２１１が、濃度調整値２の濃度特性をもつγ変換データをＲＯＭ２１２から読み出してシステムバス２１０を通してγ変換処理部２０４へ設定する。ＭＴＦフィルタ処理部２０３、階調処理部２０５には、選択されている原稿モードに対応する処理内容を設定する。
セレクタ２０２は、スキャナ部２０１からの画像データがＭＴＦフィルタ処理部２０３へ送られるように設定する。画像蓄積部１（２０８）や画像蓄積部２（２０９）には、図８で設定した有効画像領域を設定する。
【００２３】
上記設定後、図３に示す画像データの流れで、原稿読み取りを行って画像処理を行う。
スキャナ部２０１で、読み取られた画像処理前の画像データは、画像蓄積部１（２０８）に送られ、設定されている有効画像領域の画像データが蓄積される。同時にセレクタ２０２を通り、ＭＴＦフィルタ処理部２０３、γ変換処理部２０４、階調処理部２０５により画像処理が行われる。
γ変換処理部２０４では、濃度調整値２の濃度特性をもつγ補正データによりγ変換処理が行われる。画像処理が行われた画像データは、画像蓄積部２（２０９）に送られ、設定されている有効画像領域の画像データが蓄積される。
【００２４】
次に、濃度調整値３の濃度特性をもつγ変換データをγ変換処理部２０４へ設定する。セレクタ２０２は、画像蓄積部１（２０８）からの画像データがＭＴＦフィルタ処理部２０３へ送られるように設定する。
【００２５】
上記設定後、図４に示す画像データの流れで画像処理を行う。
画像蓄積部１（２０８）から読み出された画像データは、セレクタ２０２を通りＭＴＦフィルタ処理部２０３、γ変換処理部２０４、階調処理部２０５により画像処理が行われる。γ変換処理部２０４では、濃度調整値３の濃度特性をもつγ補正データによりγ変換処理が行われる。画像処理が行われた画像データは、画像蓄積部２（２０９）に送られ、設定されている有効画像領域の画像データが蓄積される。
【００２６】
次に、濃度調整値４の濃度特性をもつγ変換データをγ変換処理部２０４へ設定して、図４の画像処理を行う。γ変換処理部２０４では、濃度調整値４の濃度特性をもつγ補正データによりγ変換処理が行われ、画像処理後の画像データは、画像蓄積部２（２０９）に送られ、設定されている有効画像領域の画像データが蓄積される。
【００２７】
次に、濃度調整値５の濃度特性をもつγ変換データをγ変換処理部２０４へ設定して、図４の画像処理を行う。γ変換処理部２０４では、濃度調整値５の濃度特性をもつγ補正データによりγ変換処理が行われる。画像処理後の画像データは、画像蓄積部２（２０９）に送られ、設定されている有効画像領域の画像データが蓄積される。
【００２８】
最後に、画像蓄積部２（２０９）に蓄積されている濃度調整値２、３、４、５でそれぞれ処理された画像データを図５の流れでプリンタ部２０７に出力する。
セレクタ２０６は、画像蓄積部２（２０９）に蓄積された画像データをプリンタ部２０７へ送られるように設定し、濃度調整値２、３、４、５でそれぞれ処理された画像データを、濃度調整値と対応付けてプリンタ部２０７で印刷する。
【００２９】
これにより、原稿を一度読み取っただけで、あらかじめ設定した左上位置基準または中央位置基準の出力画像領域に対して、複数の種類の画質調整値に応じた画像処理を行い、処理後の画像をまとめて同時に印刷して、一回の試しコピーで複数の調整値の処理結果を確認することができる。
【００３０】
次に、本実施形態に係るディジタル複写機の「原稿モード」による試しコピーについて説明する。
図９は、「原稿読み取り設定」を選択した状態の操作部の表示例を示す図である。この操作部の画面において、原稿モードの「試し設定」を選択することで原稿モードによる試しコピー出力が行われる。
【００３１】
例えば、図９において、「文字」９１、「文字／写真」９２、「写真」９３の中から試しコピーしたい原稿モードを選択・押下し、原稿モードの「試し設定」９４を押下すると、図１０に示したような「原稿モード  試しコピー設定」確認画面が操作部１０６に表示される。
図１０の画面では、「文字モード」、「文字／写真モード」、「写真モード」の３種類の異なる原稿モードが選択されたことを示しており、「設定ＯＫ」９９を押下することによって、種類の異なる画面モードの画像処理がそれぞれ行われ、それらの画像が一回のコピーで出力されることを表している。
【００３２】
また、図１０の画面を見て、不要な原稿モードがある場合には、図９の画面へ戻って、不要な原稿モードに該当する９１〜９３のボタンを押下することによって、その不要な原稿モードの試しコピーをさせないようにできる。
【００３３】
さらに、濃度調整のときと同様にして、図８に示す画面において、試しコピーにおける出力画像領域の設定を行う。
【００３４】
次に、図１０で設定した原稿モードを用いて、本実施形態に係るディジタル複写機の「原稿モード」による試しコピーの動作の具体例について説明する。
はじめに、「文字モード」の画像処理を行うパラメータを各処理に設定する。ＭＴＦフィルタ処理部２０３には文字処理用の強調処理を設定し、γ変換処理部２０４には、コントラストを強調する濃度特性をもつγ変換データを設定し、階調処理部２０５には、解像度を優先した誤差拡散処理を設定する。
【００３５】
セレクタ２０２は、スキャナ部２０１からの画像データがＭＴＦフィルタ処理部２０３へ送られるように設定する。画像蓄積部１（２０８）、画像蓄積部２（２０９）には、図８で設定した有効画像領域を設定する。
【００３６】
上記設定後、図３に示す画像データの流れで、原稿読み取りを行って画像処理を行う。
スキャナ部２０１で、読み取られた画像処理前の画像データは、画像蓄積部１（２０８）に送られ、設定されている有効画像領域の画像データが蓄積される。同時にセレクタ２０２を通り、ＭＴＦフィルタ処理部２０３、γ変換処理部２０４、階調処理部２０５により画像処理が行われる。
ＭＴＦフィルタ処理部２０３、γ変換処理部２０４、階調処理部２０５では、「文字モード」用の画像処理が行われる。画像処理後の画像データは、画像蓄積部２（２０９）に送られ、設定されている有効画像領域の画像データが蓄積される。
【００３７】
次に、ＭＴＦフィルタ処理部２０３、γ変換処理部２０４、階調処理部２０５に「文字／写真モード」用の画像処理を行うパラメータを設定する。ＭＴＦフィルタ処理部２０３には、文字／写真処理用の弱い強調処理を設定し、γ変換処理部２０４には、リニヤな濃度特性をもつγ変換データを設定し、階調処理部２０５には、解像度を優先した誤差拡散処理を設定する。
セレクタ２０２は、画像蓄積部１（２０８）からの画像データがＭＴＦフィルタ処理部２０３へ送られるように設定する。
【００３８】
以上の設定後、図４に示す画像データの流れで画像処理を行う。
まず、画像蓄積部１（２０８）から読み出された画像データは、セレクタ２０２を通りＭＴＦフィルタ処理部２０３、γ変換処理部２０４、階調処理部２０５により画像処理が行われる。
ＭＴＦフィルタ処理部２０３、γ変換処理部２０４、階調処理部２０５では、「文字／写真モード」用の画像処理が行われる。画像処理が行われた画像データは、画像蓄積部２（２０９）に送られ、設定されている有効画像領域の画像データが蓄積される。
【００３９】
次に、ＭＴＦフィルタ処理部２０３、γ変換処理部２０４、階調処理部２０５に「写真モード」用の画像処理を行うパラメータを設定する。ＭＴＦフィルタ処理部２０３には写真処理用の平滑化処理を設定し、γ変換処理部２０４には、階調再現範囲が広い特性をもつγ変換データを設定し、階調処理部２０５には、階調性を優先したディザ処理を設定する。
【００４０】
上記の設定後、図４に示す画像データの流れで画像処理を行う。
画像蓄積部１（２０８）から読み出された画像データは、セレクタ２０２を通りＭＴＦフィルタ処理部２０３、γ変換処理部２０４、階調処理部２０５により画像処理が行われる。
ＭＴＦフィルタ処理部２０３、γ変換処理部２０４、階調処理部２０５では、「写真モード」用の画像処理が行われる。画像処理が行われた画像データは、画像蓄積部２（２０９）に送られ、設定されている有効画像領域の画像データが蓄積される。
【００４１】
最後に、画像蓄積部２（２０９）に蓄積されている「文字モード」、「文字／写真モード」、「写真モード」でそれぞれ処理された画像データを図５の流れでプリンタ部２０７に出力する。
セレクタ２０６は、画像蓄積部２（２０９）に蓄積された画像データをプリンタ部２０７へ送られるように設定し、「文字モード」、「文字／写真モード」、「写真モード」でそれぞれ処理された画像データを、原稿モードと対応付けてプリンタ部２０７で印刷する。
【００４２】
これにより、原稿を一度読み取っただけで、あらかじめ設定した左上位置基準または中央位置基準の出力画像領域に対して、複数の種類の原稿モードに応じた画像処理を行い、処理後の画像をまとめて同時に印刷して、一回の試しコピーで複数の原稿モードの処理結果を確認することができる。
【図面の簡単な説明】
【００４３】
【図１】本発明の実施形態のディジタル複写機の全体構成を示すブロック図である。
【図２】本実施形態に係るディジタル複写機の詳細なブロック図である。
【図３】原稿を読み取って画像蓄積部１へ格納するとともに、読み取った原稿に画像処理を行って、画像蓄積部２へ格納する画像データの流れである。
【図４】原稿の読み取りを行わず、既に画像蓄積部１に格納されている原稿の画像データに対して、異なる画像処理を施して画像蓄積部２へ格納する画像データの流れである。
【図５】画像蓄積部２に格納されている画像処理後の画像データをプリンタ部で印刷する画像データの流れである。
【図６】濃度調整の「試し設定」を選択するときの操作部の表示例を示す図である。
【図７】「濃度調整  試しコピー設定」確認・変更画面の操作部の表示例を示す図である。
【図８】「試しコピー  画像領域設定」画面の操作部の表示例を示す図である。
【図９】原稿モードの「試し設定」を選択するときの操作部の表示例を示す図である。
【図１０】「原稿モード  試しコピー設定」確認画面の操作部の表示例を示す図である。
【符号の説明】
【００４４】
１０１…画像入力部、１０２…画像処理部、１０３…画像出力部、１０４…画像蓄積部、１０５…制御部、１０６…操作部、２０１…スキャナ部、２０２…セレクタ、２０３…ＭＴＦフィルタ処理部、２０４…γ変換処理部、２０５…階調処理部、２０６…セレクタ、２０７…プリンタ部、２０８…画像蓄積部１、２０９…画像蓄積部２、２１０…システムバス、２１１…ＣＰＵ（演算ユニット）、２１２…ＲＯＭ（Read Only Memory）、２１３…ＲＡＭ（Random Access Memory）、６１…濃度調整キー、６２…試し設定、７１，７２，７３，７４…領域、７５…設定ＯＫ、７６…濃度調整キー、８１…縦位置、８２…横位置、８３…設定ＯＫ、９１，９２，９３…原稿モード設定キー、９４…試し設定、９９…設定ＯＫ、Ｇ…有効画像領域。
【図１】
2006245856.tif 000003
【図２】
2006245856.tif 000004
【図３】
2006245856.tif 000005
【図４】
2006245856.tif 000006
【図５】
2006245856.tif 000007
【図６】
2006245856.tif 000008
【図７】
2006245856.tif 000009
【図８】
2006245856.tif 000010
【図９】
2006245856.tif 000011
【図１０】
2006245856.tif 000012